(57)【特許請求の範囲】
【請求項１】
５本の指部を備えた釣り用手袋であって、
５本の指部のうちの中指部、薬指部、小指部それぞれの指の腹を覆う部位の外面に滑り止め部材を備え、該滑り止め部材をそれの指部の幅方向の中央部分が指部の幅方向において幅狭となる形状にし、前記小指部に備えた滑り止め部材の薬指側とは反対側の端部を該小指部の端まで延出させ、その延出端部を他の部分よりも幅広に構成したことを特徴とする釣り用手袋。
【請求項２】
前記滑り止め部材の指部の長手方向両辺が、互いに中央部側ほど接近するように湾曲した湾曲面に形成されている請求項１記載の釣り用手袋。
【請求項３】
前記滑り止め部材を、各指の第２関節を挟んで両側に位置する腹を覆う部位のそれぞれに備えている請求項１又は２記載の釣り用手袋。
【請求項４】
前記中指部、薬指部、小指部それぞれの掌側を人工皮革にて構成している請求項１〜３のいずれかに記載の釣り用手袋。
【請求項５】
前記人工皮革が、各指部の付け根から前記掌部の上側部分までを覆う範囲に備えられている請求項４記載の釣り用手袋。
【請求項６】
前記人差し指部のうちの先端部分及び該先端部分から該人差し指部の付け根部までの間において親指部側に位置する側面部分を人工皮革にて構成してなる請求項４又は５に記載の釣り用手袋。
【請求項７】
手の甲を覆う甲部と、掌を覆う掌部とを備え、前記５本の指部の甲部側及び甲部に伸縮自在なメッシュ状部材でなるメッシュ部を備えている請求項１〜６のいずれかに記載の釣り用手袋。
【請求項８】
前記人差し指から小指のうちの互いに隣り合う指部の側部間に渡る範囲に前記メッシュ部材よりも小さな孔を有する第２メッシュ部材でなる第２メッシュ部を備えている請求項７記載の釣り用手袋。
【発明の詳細な説明】
【技術分野】
【０００１】
本発明は、ジギングや投げ釣り等の釣りの際に好適に使用できる釣り用手袋に関する。
【背景技術】
【０００２】
上記釣り用手袋を装着して釣りを行っている時に、釣竿や釣り用手袋に雨や海水が掛かる、又は手に汗をかく等して、釣竿に対して釣り用手袋が滑ってしまい、釣りを良好に行うことができないことがある。
そこで、釣り用手袋に滑り止めが施された各種のものが提案されている。
例えば、指部の掌側表面にエンボス加工により多数の凸部が形成された滑り止め部を備えたものが挙げられる（例えば、特許文献１参照）。
【特許文献１】特開２００６−２６５８０４号公報（図２参照）
【発明の開示】
【発明が解決しようとする課題】
【０００３】
前記特許文献１によれば、指の関節に対応する部分にも凸部を備えているため、指を曲げ難く、使用し難いものであった。
また、間隔を置いて凸部が存在しているため、滑り止め効果もあまり期待できるものではなく、改善の余地があった。
【０００４】
本発明が前述の状況に鑑み、解決しようとするところは、容易に指を曲げることができるものでありながらも、滑り止め効果を確実に発揮することができる釣り用手袋を提供することを課題とする。
【課題を解決するための手段】
【０００５】
本発明の釣り用手袋は、前述の課題解決のために、５本の指部を備えた釣り用手袋であって、５本の指部のうちの中指部、薬指部、小指部それぞれの指の腹を覆う部位の外面に滑り止め部材を備え、該滑り止め部材をそれの指部の幅方向の中央部分が指部の幅方向において幅狭となる形状にし、前記小指部に備えた滑り止め部材の薬指側とは反対側の端部を該小指部の端まで延出させ、その延出端部を他の部分よりも幅広に構成したことを特徴としている。
上記のように指部の指の腹を覆う部位の外面に滑り止め部材を備えることによって、指の関節に対応する指部の部分で容易に指を折り曲げることができる。また、滑り止め部材の指部の幅方向の中央部分を幅狭となるようにしているから、指を折り曲げたときに指の腹の形状に滑り止め部材を沿わせることができる。
例えば、図８（ａ），（ｂ）に示すように、本発明の形状とは異なる形状である円形の滑り止め部材４１を指部８に備えさせている場合に、指Ｆを曲げたときに、指Ｆの先端部４２と付け根部４３との間に滑り止め部材４１が突っ張った状態になってしまうことがある。
これに対して本発明では、図５（ａ），（ｂ）に示すように、指の腹うちの最も出っ張っている幅方向中央部が滑り止め部材１１の指Ｆの幅方向の中央部分１１Ａに当接することを回避することができ、指Ｆを折り曲げたときに指Ｆの腹の形状に滑り止め部材１１を沿わせることができるようになっている。しかも、滑り止め部材１１の指Ｆの幅方向の両側部分１１Ｂ，１１Ｃが、中央部分１１Ａに比べて幅広となっていることから、滑り止め部材１１の面積を両側部分１１Ｂ，１１Ｃで多く確保することができる。
【０００６】
前記滑り止め部材の指部の長手方向両辺を、互いに中央部側ほど接近するように湾曲した湾曲面に形成してもよい。
【０００７】
前記滑り止め部材を、各指の第２関節を挟んで両側に位置する腹を覆う部位のそれぞれに備えてもよい。
【００１０】
前記中指部、薬指部、小指部それぞれの掌側を人工皮革にて構成してもよい。
【００１１】
前記人工皮革を、各指部の付け根から前記掌部の上側部分までを覆う範囲に備えてもよい。
【００１２】
前記人差し指部のうちの先端部分及び該先端部分から該人差し指部の付け根部までの間において親指部側に位置する側面部分を人工皮革にて構成してもよい。
【００１３】
手の甲を覆う甲部と、掌を覆う掌部とを備え、前記５本の指部の甲部側及び甲部に伸縮自在なメッシュ状部材でなるメッシュ部を備えてもよい。
【００１４】
前記人差し指から小指のうちの互いに隣り合う指部の側部間に渡る範囲に前記メッシュ部材よりも小さな孔を有する第２メッシュ部材でなる第２メッシュ部を備えてもよい。
【発明の効果】
【００１５】
指部の指の腹を覆う部位の外面に滑り止め部材を備え、滑り止め部材をそれの指部の幅方向の中央部分が指部の幅方向において幅狭となる形状にすることによって、指が曲がり易く、指の腹の形状に合わせた形状に滑り止め部材を構成しながらも、滑り止め部材の指部の幅方向の両側の幅広部分にて滑り止め部材の面積を多く確保することができるから、容易に指を曲げることができるものでありながらも、滑り止め効果を確実に発揮することができる釣り用手袋を提供することができる。
前記指部が、５本の指部からなり、リールの操作等を行う親指及び人差し指を除いた釣竿を常に握っている必要最小限の中指部、薬指部、小指部のそれぞれに前記滑り止め部材を備えさせることにより、製造コスト面において有利にしながらも、滑り止め効果を確実に発揮させることができる。
前記小指部に備えた滑り止め部材の薬指側とは反対側の端部を該小指部の端まで延出させ、その延出端部を他の部分よりも幅広に構成することによって、滑り止め効果を効率よく発揮させ易い小指部での滑り止め効果を更に増大させることができる。
【００１６】
前記滑り止め部材の指部の長手方向両辺を、互いに中央部側ほど接近するように湾曲した湾曲面に形成することによって、指の腹の形状に近付けることができるから、指の腹が滑り止め部材に当接することを回避することを確実に回避することができる利点がある。
【００１７】
前記指部のうち、指の第２関節を挟んで両側に位置する腹を覆う部位のそれぞれに、前記滑り止め部材を備えることによって、一箇所にのみ設けている場合に比べて滑り止め効果を高めることができる。しかも、３箇所に設ける場合に比べて製造コスト面において有利になる。
【００２０】
釣竿の握り部に接触する耐久性を必要とする中指部、薬指部、小指部それぞれの掌側を人工皮革にて構成することによって、合成皮革にて構成した場合に比べて耐久面において有利になる。また、釣竿の握り部に接触する耐久性を必要とする中指部、薬指部、小指部の掌側を覆う人工皮革を、各指部の付け根から前記掌部の上側部分までを覆う範囲にも備えることによって、耐久面において更に有利になる。
【００２１】
手の甲を覆う甲部と、掌を覆う掌部とを備え、釣竿の握り部に接触する部位に比べて耐久性を必要としない部分、つまり前記５本の指部の甲部側及び甲部に伸縮自在なメッシュ状部材でなるメッシュ部を備えさせることによって、耐久面において不利になることなく、通気性を持たせることができる。
【００２２】
前記人差し指から小指のうちの互いに隣り合う指部の側部間に渡る範囲に前記メッシュ部材よりも小さな孔を有する第２メッシュ部材でなる第２メッシュ部を備えることによって、通気性を持たせながらも孔の大きさの異なる２種類のメッシュ部にて変化に富んだ釣り用手袋を構成することができる。
【発明を実施するための最良の形態】
【００２３】
図１〜図４に、左手用の釣り用手袋１を示し、図６及び図７に右手用の釣り用手袋２を示しているが、両方とも向きが異なるだけで、同一構成部材にて構成されているため、左手用の釣り用手袋１を中心に説明し、図６、図７の右手用の釣り用手袋２は、同一構成であるため、図１〜図４で付した符号と同一符号を付し、説明は省略する。
【００２４】
釣り用手袋１は、手の甲を覆う甲部３と、掌を覆う掌部４と、５本の指部５，６，７，８，９とを備えている。
【００２５】
そして、前記５本の指部５，６，７，８，９のうちの中指部７、薬指部８、小指部９のそれぞれの指の第２関節１０を挟んで両側に位置する腹を覆う部位のそれぞれに、滑り止め部材１１を縫着している。
【００２６】
前記滑り止め部材１１は、それの指部の幅方向の中央部分が指部の幅方向において幅狭となるほぼ鼓形状となる形状になっている。従って、図５（ａ），（ｂ）に示すように、釣竿１２を円周方向２箇所の滑り止め部材１１，１１にて挟み込んだ状態で掴むことによって、滑り止め効果を発揮することができるようにしている。図では、滑り止め部材１１の指部８の長手方向両辺１１ａ，１１ｂが、互いに中央部側ほど接近するように湾曲した湾曲面に形成されており、指Ｆの外形により一層沿った形状になっている。
【００２７】
前記滑り止め部材１１のうち小指部９に備えさせた滑り止め部材１１の薬指側とは反対側の端部を、小指部９の幅方向外側端部まで延出させ、その延出端部１１Ｔを他方の端部よりも指部の幅方向において幅広に構成して、最も滑り止め効果を効率よく発揮させ易い小指部での滑り止め効果を更に増大させることができるようにしている。
【００２８】
前記滑り止め部材１１は、ポリエステル製の不織布からなる基材又はフィルム状に形成された基材の表面に、滑り止め層を備えさせたものからなっている。前記滑り止め層は、ＡＢＳ樹脂を発泡させて形成したものであり、多数の連続気泡を備え、かつ、弾性及び粘着性を有し、その表面には、微細な多数の凹凸を形成して通水性を備えたものである。従って、滑り止め部材１１の表面に水が掛かった場合や水中でも、その水が表面外に直ちに通り抜けることから、水による滑り止め効果の低下がないようにしている。
【００２９】
前記指部のうち、釣竿の握り部に接触する耐久性を必要とする中指部７、薬指部８、小指部９それぞれの掌側及びこれら各指部７，８，９の付け根から前記掌部４の上側部分１３までを覆う範囲を一枚の人口皮革にて構成して、特に釣竿の握り部を握るときに接触する強度を必要とする部分の強度アップを図ることができるようにしている。
【００３０】
また、前記中指部７、薬指部８、小指部９それぞれの甲部側先端部７Ａ，８Ａ，９Ａを人口皮革にて構成し、甲部側先端部７Ａ，８Ａ，９Ａそれぞれの付け根部側端から各指の付け根７Ｂ，８Ｂ，９Ｂと、人差し指部６の人工皮革にて構成された後述する部分２１の付け根部側端から人差し指部６の付け根６Ｂとが伸縮自在な１枚のメッシュ状部材からなる第１メッシュ部１４を備えている。
【００３１】
前記人差し指部６と中指部７の隣り合う側部同士、中指部７と薬指部８の隣り合う側部同士、薬指部８と小指部９の隣り合う側部同士が前記メッシュ部材１４よりも小さな孔を有する第２メッシュ部材でなる第２メッシュ部１５を備えている。この第２メッシュ部１５は、前記第１メッシュ部１４よりも伸び易い素材を使用している。
【００３２】
前記第２メッシュ部１５の指部先端側には合成皮革でなる先端横側部１６を備えている。前記先端横側部１６のうちの中指部７及び薬指部８の先端横側部１６は、両側に備えているとともに、それら両側の先端横側部１６，１６を繋ぐ頂部１６Ａを備えている。
【００３３】
前記掌部４は、合成皮革にて構成され、それの表面の、上下方向中間部にほぼ逆Ｌ字状でなるとともに人工皮革で構成された補強部材２２を縫着している。そして、親指部５の先端部分及び掌側部分は、合成皮革で構成され、先端を除いた甲側部分は前記第１メッシュ状部材からなる第１メッシュ部１４に構成されている。前記掌部４及び親指部５の合成皮革の表面には、エンボス加工により凹凸部が形成され、また、親指部５を除く４本の指部６，７，８，９の先端部の側部に備えた合成皮革は、表面を加工していない滑らかな表面にして、２種類の合成皮革にてそれぞれ構成している。なお、凹凸部が形成されている合成皮革を第１合成皮革と称し、滑らかな表面を有している合成皮革を第２合成皮革として区別するものとする。
【００３４】
前記甲部３の上側には、人差し指部６の端部から小指部９の端部に渡る長さの伸縮素材でなる伸縮部１７を備えさせている。この伸縮部１７は、基布の表面にウレタンをコーティングして伸縮性を持たせているものを使用している。
【００３５】
前記伸縮部１７の下端には前記第１メッシュ部１４を備え、その第１メッシュ部１４の下端と甲部３の下端である手首部側端に備えている第１メッシュ部１４との間に、前記第２合成皮革でなり、親指側から小指側にかけて甲部３を締付けて手袋を手に固定するための帯状のベルト１８を固定する被固定部１９を備えさせている。
【００３６】
前記ベルト１８の基端部は、前記親指部５と甲部３とを連結する伸縮素材で構成された連結部２０に縫着され、ベルト１８の裏面に備えさせている雄型又は雌型の面ファスナー（図示せず）を、前記被固定部１９の表面に縫着されている面ファスナー１９Ｆに係止させることによりベルト１８を該被固定部１９に固定することにより、手袋を甲側に締付け固定することができるようになっている。なお、連結部２０は、前記伸縮部１７と同一素材からなっている。
【００３７】
人差し指６について説明すれば、前記人差し指部６のうちの先端部分及び該先端部分から該人差し指部の付け根部までの間において親指部側に位置する側面部分からなる部分２１を強度的に有利な人工皮革にて構成している。従って、リールや道糸等に頻繁に接触する人差し指６が擦れることにより損傷することを抑制することができ、長期間に渡って良好に使用することができるようになっている。特に親指側の側面部分は道糸との擦れが発生する部分であり、少なくとも側面部をフィット感が良好でしかも強度面で有利な人工皮革を使用することによって、使用面及び耐久面のいずれにおいても有利な商品価値のある手袋にすることができる。
【００３８】
前記実施形態では、人工皮革、２種類の合成皮革、２種類のメッシュ部材、伸縮素材、滑り止め部材１１に用いた素材の合計７種類の素材を使用して釣り用手袋を作製したが、これに限定されるものではなく、どのような素材にて使用することもできる。特に、滑り止め部材１１に用いた素材は水にも滑り難い性質を持つ素材を用いたが、合成樹脂や合成ゴム等からなる一般的な滑り止め素材から構成することもできる。また、５本指部からなる釣り用手袋としたが、１本以上の指部があるものから構成してもよい。
【００３９】
また、滑り止め部材１１としては、湾曲面を有するものから構成することが好ましいが、斜めの直線状に構成されたものであってもよいし、階段状になっているものでもよく、要するに、指部の幅方向の中央部分が指部の幅方向において幅狭となる形状であれば、滑り止め部材１１としてはどのような形状であってもよい。また、個数も６個の滑り止め部材１１を設けたが、個数についても自由に変更可能である。
【図面の簡単な説明】
【００４０】
【図１】左手用の釣り用手袋を掌部側から見た正面図である。
【図２】左手用の釣り用手袋を甲部側から見た背面図である。
【図３】左手用の釣り用手袋を小指側から見た側面図である。
【図４】左手用の釣り用手袋を親指側から見た側面図である。
【図５】本願発明の滑り止め部材を備えた中指袋に入れた中指を曲げた状態の要部の断面図を示し、（ａ）はそれの側面図、（ｂ）は（ａ）におけるＡ−Ａ線断面図である。
【図６】右手用の釣り用手袋を掌部側から見た正面図である。
【図７】右手用の釣り用手袋を甲部側から見た背面図である。
【図８】比較例の滑り止め部材を備えた中指袋に入れた中指を曲げた状態の要部の断面図を示し、（ａ）はそれの側面図、（ｂ）は（ａ）におけるＢ−Ｂ線断面図である。
【符号の説明】
【００４１】
１，２…釣り用手袋、３…甲部、４…掌部、５…親指部、６…人差し指部、７…中指部、７Ａ，８Ａ，９Ａ…甲部側先端部、７Ｂ，８Ｂ，９Ｂ…付け根、８…薬指部、８ａ，８ｂ…長手方向両辺、９…小指部、１０…関節、１１…滑り止め部材、１１Ａ…中央部分、１１Ｂ，１１Ｃ…両側部分、１１Ｔ…延出端部、１２…釣竿、１３…上側部分、１４，１５…メッシュ部、１６…先端横側部、１７…伸縮部、１６Ａ…頂部、１８…ベルト、１９…被固定部、１９Ｆ…面ファスナー、２０…連結部、２１…部分、２２…補強部材、４１…滑り止め部材、４２…先端部、４３…付け根部、Ｆ…指
【図１】
0005114185.tif 000002
【図２】
0005114185.tif 000003
【図３】
0005114185.tif 000004
【図４】
0005114185.tif 000005
【図５】
0005114185.tif 000006
【図６】
0005114185.tif 000007
【図７】
0005114185.tif 000008
【図８】
0005114185.tif 000009